(57)【要約】【課題】  濃淡ムラによる印字品質の低下を抑制可能な顔料を用いたインクジェット記録用水性インクを提供する。【解決手段】  本発明のインクジェット記録用水性インクは、顔料及び水を含むインクジェット記録用水性インクであって、さらに、前記水性インクが、トリプロピレングリコール及びオクタンジオールを含み、前記水性インク全量に対するトリプロピレングリコールの含有量が、２８重量％以下であり、前記水性インクにおけるトリプロピレングリコール（Ｘ）と前記オクタンジオール（Ｙ）との重量比（Ｘ：Ｙ）が、Ｘ：Ｙ＝５０：１〜１０：１であることを特徴とする。【選択図】  なし【特許請求の範囲】
【請求項１】
顔料及び水を含むインクジェット記録用水性インクであって、
さらに、前記水性インクが、トリプロピレングリコール及びオクタンジオールを含み、
前記水性インク全量に対するトリプロピレングリコールの配合量が、２８重量％以下であり、
前記水性インクにおけるトリプロピレングリコール（Ｘ）と前記オクタンジオール（Ｙ）との重量比（Ｘ：Ｙ）が、Ｘ：Ｙ＝５０：１〜１０：１であることを特徴とするインクジェット記録用水性インク。
【請求項２】
前記水性インク全量に対するトリプロピレングリコールの配合量が、１２重量％〜２０重量％であることを特徴とする請求項１記載のインクジェット記録用水性インク。
【請求項３】
前記オクタンジオールが、直鎖であることを特徴とする請求項１又は２記載のインクジェット記録用水性インク。
【請求項４】
前記オクタンジオールが、１，８−オクタンジオールであることを特徴とする請求項３記載のインクジェット記録用水性インク。
【請求項５】
インクジェット記録用水性インクを含むインクカートリッジであって、前記水性インクが、請求項１〜４のいずれか一項に記載のインクジェット記録用水性インクであることを特徴とするインクカートリッジ。
【請求項６】
インク収容部及びインク吐出手段を含み、前記インク収容部に収容されたインクを前記インク吐出手段によって吐出するインクジェット記録装置であって、
前記インク収容部に、請求項１〜４のいずれか一項に記載のインクジェット記録用水性インクが収容されていることを特徴とするインクジェット記録装置。
【発明の詳細な説明】
【技術分野】
【０００１】
本発明は、インクジェット記録用水性インク、インクカートリッジ及びインクジェット記録装置に関する。
【背景技術】
【０００２】
従来から、顔料を用いたインクジェット記録用水性インク（以下、「水性顔料インク」と言うことがある。）に特有の濃淡ムラを抑制するために、グリコールエーテルが用いられてきた（例えば、特許文献１及び２参照）。
【先行技術文献】
【特許文献】
【０００３】
【特許文献１】特開２０１２−１６７２２７号公報
【特許文献２】特開２０１２−２１３９５０号公報
【発明の概要】
【発明が解決しようとする課題】
【０００４】
近年、記録速度の高速化が求められており、その方法として、低解像度で記録動作を実行することが検討されている。しかし、単にグリコールエーテルを用いるのみで低解像度で記録動作を実行したときの水性顔料インクの濃淡ムラを充分に抑制することは、困難であった。
【０００５】
そこで、本発明は、濃淡ムラによる印字品質の低下を抑制可能な顔料を用いたインクジェット記録用水性インクを提供することを目的とする。
【課題を解決するための手段】
【０００６】
前記目的を達成するために、本発明のインクジェット記録用水性インクは、
顔料及び水を含むインクジェット記録用水性インクであって、
さらに、前記水性インクが、トリプロピレングリコール及びオクタンジオールを含み、
前記水性インク全量に対するトリプロピレングリコールの配合量が、２８重量％以下であり、
前記水性インクにおけるトリプロピレングリコール（Ｘ）と前記オクタンジオール（Ｙ）との重量比（Ｘ：Ｙ）が、Ｘ：Ｙ＝５０：１〜１０：１であることを特徴とする。
【発明の効果】
【０００７】
本発明によれば、水性顔料インクにおいて、トリプロピレングリコールの配合量を２８重量％以下とし、かつ、トリプロピレングリコール及びオクタンジオールを前記特定の比率で併用したことで、濃淡ムラによる印字品質の低下を抑制可能である。
【図面の簡単な説明】
【０００８】
【図１】図１は、本発明のインクジェット記録装置の構成の一例を示す概略斜視図である。
【発明を実施するための形態】
【０００９】
本発明者らは、種々検討を行った結果、水性顔料インクにトリプロピレングリコール（以下、「ＴＰＧ」と言う。）を添加することで、濃淡ムラによる印字品質の低下を抑制可能であることを見出した。しかしながら、印字品質低下の抑制をＴＰＧのみで行おうとすると、必要量のＴＰＧの添加により、水性顔料インクの吐出安定性が低下する。そこで、オクタンジオールを前記特定の比率でＴＰＧと併用することで、溶解性、印字品質低下の抑制及び吐出安定性の全てを満足する水性顔料インクを得るに至った。なお、後述の実施例及び比較例に示すように、印字品質低下の抑制は、ＴＰＧとオクタンジオールとを併用した場合に特有の効果であり、ＴＰＧと類似するジプロピレングリコール（以下、「ＤＰＧ」と言う。）又はトリエチレングリコール（以下、「ＴＥＧ」と言う。）とオクタンジオールとの併用、及びＴＰＧとオクタンジオールに類似するペンタンジオールとの併用では、印字品質の低下を抑制できない。
【００１０】
本発明のインクジェット記録用水性インク（以下、「水性インク」又は「インク」と言うことがある。）について説明する。本発明の水性インクは、顔料及び水を含む。
【００１１】
本発明において、前記顔料は、限定されず、例えば、カーボンブラック、無機顔料及び有機顔料等があげられる。前記カーボンブラックとしては、例えば、ファーネスブラック、ランプブラック、アセチレンブラック、チャンネルブラック等があげられる。前記無機顔料としては、例えば、酸化チタン、酸化鉄系及びカーボンブラック系等をあげることができる。前記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ顔料、酸性染料型レーキ顔料等の染料レーキ顔料；ニトロ顔料、ニトロソ顔料、アニリンブラック昼光蛍光顔料等があげられる。また、その他の顔料であっても水相に分散可能なものであれば使用できる。これらの顔料の具体例としては、例えば、Ｃ．Ｉ．ピグメントブラック１、６及び７；Ｃ．Ｉ．ピグメントイエロー１、２、３、１２、１３、１４、１５、１６、１７、５５、７３、７４、７５、８３、９３、９４、９５、９７、９８、１１４、１２８、１２９、１３８、１５０、１５１、１５４、１８０、１８５及び１９４；Ｃ．Ｉ．ピグメントオレンジ３１及び４３；Ｃ．Ｉ．ピグメントレッド２、３、５、６、７、１２、１５、１６、４８、４８：１、５３：１、５７、５７：１、１１２、１２２、１２３、１３９、１４４、１４６、１４９、１６６、１６８、１７５、１７６、１７７、１７８、１８４、１８５、１９０、２０２、２２１、２２２、２２４及び２３８；Ｃ．Ｉ．ピグメントバイオレット１９６；Ｃ．Ｉ．ピグメントブルー１、２、３、１５、１５：１、１５：２、１５：３、１５：４、１６、２２及び６０；Ｃ．Ｉ．ピグメントグリーン７及び３６等があげられる。本発明の水性インクは、前記顔料を分散剤で水に分散させたものであってもよい。前記分散剤としては、例えば、一般的な高分子分散剤等を用いてよい。また、本発明の水性インクにおいて、前記顔料は、高分子によりカプセル化されたものであってもよい。
【００１２】
前記顔料は、自己分散型顔料であってもよい。前記自己分散型顔料は、例えば、顔料粒子にカルボニル基、ヒドロキシル基、カルボン酸基、スルホン酸基、リン酸基等の親水性官能基及びそれらの塩の少なくとも一種が、直接又は他の基を介して化学結合により導入されていることによって、分散剤を使用しなくても水に分散可能なものである。前記自己分散型顔料は、例えば、特開平８−３４９８号公報、特表２０００−５１３３９６号公報、特表２００８−５２４４００号公報、特表２００９−５１５００７号公報等に記載の方法によって顔料が処理されたものを用いることができる。前記自己分散型顔料の原料としては、無機顔料及び有機顔料のいずれも使用することができる。また、前記処理を行うのに適した顔料としては、例えば、三菱化学（株）製の「ＭＡ８」及び「ＭＡ１００」等のカーボンブラックがあげられる。前記自己分散型顔料は、例えば、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）２５０Ｃ」、「ＣＡＢ−Ｏ−ＪＥＴ（登録商標）２６０Ｍ」、「ＣＡＢ−Ｏ−ＪＥＴ（登録商標）２７０Ｙ」、「ＣＡＢ−Ｏ−ＪＥＴ（登録商標）３００」、「ＣＡＢ−Ｏ−ＪＥＴ（登録商標）４００」、「ＣＡＢ−Ｏ−ＪＥＴ（登録商標）４５０Ｃ」、「ＣＡＢ−Ｏ−ＪＥＴ（登録商標）４６５Ｍ」及び「ＣＡＢ−Ｏ−ＪＥＴ（登録商標）４７０Ｙ」；オリエント化学工業（株）製の「ＢＯＮＪＥＴ（登録商標）ＢＬＡＣＫ  ＣＷ−２」及び「ＢＯＮＪＥＴ（登録商標）ＢＬＡＣＫ  ＣＷ−３」；東洋インキ製造（株）製の「ＬＩＯＪＥＴ（登録商標）ＷＤ  ＢＬＡＣＫ  ００２Ｃ」；等があげられる。
【００１３】
前記水性インク全量に対する前記顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１５重量％であり、より好ましくは、２重量％〜１０重量％である。
【００１４】
前記水性インクは、顔料以外の着色剤を含んでもよい。前記顔料以外の着色剤としては、例えば、染料等があげられる。
【００１５】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００１６】
前述のとおり、前記水性インクは、さらに、ＴＰＧ及びオクタンジオールを含む。前記水性インク全量に対するＴＰＧの配合量（ＴＰＧ割合）は、２８重量％以下である。また、前記水性インクにおけるＴＰＧ（Ｘ）と前記オクタンジオール（Ｙ）との重量比（Ｘ：Ｙ）は、Ｘ：Ｙ＝５０：１〜１０：１である。前述のとおり、ＴＰＧの配合量を２８重量％以下とし、かつ、ＴＰＧ及び前記オクタンジオールを前記特定の比率で併用したことで、溶解性、印字品質低下の抑制及び吐出安定性の全てを満足する水性インクを得ることが可能である。
【００１７】
前記ＴＰＧ割合の下限値は、前記重量比（Ｘ：Ｙ）を満足するものであれば特に限定されないが、例えば、１０重量％である。前記ＴＰＧ割合は、１２重量％〜２０重量％であることが好ましい。前記ＴＰＧ割合を１２重量％〜２０重量％とすることで、溶解性、印字品質低下の抑制及び吐出安定性に特に優れた水性インクを得ることができる。
【００１８】
前記オクタンジオールは、直鎖であってもよいし、分岐鎖であってもよいが、直鎖であることが好ましく、１，８−オクタンジオールであることが特に好ましい。前記オクタンジオールを直鎖、特に１，８−オクタンジオールとすることで、印字品質低下の抑制効果をさらに高めることができる。
【００１９】
前記水性インク全量に対する前記オクタンジオールの配合量は、前記重量比（Ｘ：Ｙ）を満足するものであれば特に限定されないが、例えば、０．３重量％〜５重量％であり、好ましくは、０．４重量％〜１．２重量％である。
【００２０】
前記水性インクは、さらに、ＴＰＧ及び前記オクタンジオール以外の水溶性有機溶剤を含んでもよい。前記水溶性有機溶剤としては、例えば、インクジェットヘッドのノズル先端部における水性インクの乾燥を防止する湿潤剤及び記録媒体上での乾燥速度を調整する浸透剤があげられる。
【００２１】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール等のポリエーテル；アルキレングリコール、グリセリン、トリメチロールプロパン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、ジエチレングリコール、トリエチレングリコール、ジプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２２】
前記水性インク全量に対する前記湿潤剤の配合量は、例えば、０重量％〜９５重量％であり、好ましくは、５重量％〜８０重量％であり、より好ましくは、５重量％〜５０重量％である。
【００２３】
前記浸透剤は、例えば、グリコールエーテルがあげられる。水性顔料インクに前記グリコールエーテルを多量に用いると、インクジェット記録装置内のゴム部材等に由来する化合物が水性顔料インク中に溶出することがあり、また、前記グリコールエーテルの揮発の問題もあることから、その配合量は、これらの問題が生じない範囲とすることが好ましい。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２４】
前記水性インク全量に対する前記浸透剤の配合量は、０重量％〜２重量％であることが好ましい。
【００２５】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００２６】
前記水性インクは、例えば、顔料、水、ＴＰＧ及び前記オクタンジオールと、必要に応じて他の添加成分とを、従来公知の方法で均一に混合し、フィルタ等で不溶解物を除去することにより調製できる。
【００２７】
つぎに、本発明のインクカートリッジについて説明する。本発明のインクカートリッジは、インクジェット記録用水性インクを含むインクカートリッジであって、前記水性インクが、本発明のインクジェット記録用水性インクであることを特徴とする。前記インクカートリッジの本体としては、例えば、従来公知のものを使用できる。
【００２８】
つぎに、本発明のインクジェット記録装置及びインクジェット記録方法について説明する。
【００２９】
本発明のインクジェット記録装置は、インク収容部及びインク吐出手段を含み、前記インク収容部に収容されたインクを前記インク吐出手段によって吐出するインクジェット記録装置であって、前記インク収容部に、本発明のインクジェット記録用水性インクが収容されていることを特徴とする。
【００３０】
本発明のインクジェット記録方法は、記録媒体に水性インクをインクジェット方式により吐出して記録するインクジェット記録方法であって、前記水性インクとして、本発明のインクジェット記録用水性インクを用いることを特徴とする。
【００３１】
本発明のインクジェット記録方法は、例えば、本発明のインクジェット記録装置を用いて実施可能である。前記記録は、印字、印画、印刷等を含む。
【００３２】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３３】
４つのインクカートリッジ２は、イエロー、マゼンタ、シアン及びブラックの４色の水性インクを、それぞれ１色ずつ含む。例えば、前記水性イエローインク、前記水性マゼンタインク及び前記水性シアンインクが、本発明のインクジェット記録用水性インクである。前記水性ブラックインクは、一般的な水性ブラックインクを用いてよい。ヘッドユニット４に設置されたインクジェットヘッド３は、記録媒体（例えば、記録用紙）Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。
【００３４】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３５】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図１において、キャップ１８は、水性インクの乾燥を防止するため、記録が終了するとリセット位置に戻されるインクジェットヘッド３の複数のノズルを覆うものである。
【００３６】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３７】
このインクジェット記録装置１を用いたインクジェット記録は、例えば、つぎのようにして実施される。まず、記録用紙Ｐが、インクジェット記録装置１の側方又は下方に設けられた給紙カセット（図示せず）から給紙される。記録用紙Ｐは、インクジェットヘッド３と、プラテンローラ７との間に導入される。導入された記録用紙Ｐに、インクジェットヘッド３から吐出される水性インクにより所定の記録がされる。本発明の水性インクは、インクジェットヘッド３からの安定した吐出が可能である。記録後の記録用紙Ｐは、インクジェット記録装置１から排紙される。本発明の水性インクによれば、印字品質の低下が抑制された記録物を得ることができる。図１においては、記録用紙Ｐの給紙機構及び排紙機構の図示を省略している。
【００３８】
図１に示す装置では、シリアル型インクジェットヘッドを採用するが、本発明は、これに限定されない。前記インクジェット記録装置は、ライン型インクジェットヘッドを採用する装置であってもよい。
【実施例】
【００３９】
つぎに、本発明の実施例について比較例と併せて説明する。なお、本発明は、下記の実施例及び比較例により限定及び制限されない。
【００４０】
［実施例１〜１５及び比較例１〜１８］
インク組成（表１又は表２）における、自己分散型顔料を除く成分を、均一に混合しインク溶媒を得た。つぎに、水に分散させた自己分散型顔料に前記インク溶媒を加え、均一に混合した。その後、得られた混合物を、東洋濾紙（株）製のセルロースアセテートタイプメンブレンフィルタ（孔径３．００μｍ）でろ過することで、実施例１〜１５及び比較例１〜１８のインクジェット記録用水性インクを得た。
【００４１】
実施例及び比較例の水性インクについて、（ａ）インク観察評価、（ｂ）印字品質評価、（ｃ）吐出安定性評価及び（ｄ）総合評価を、下記方法により実施した。
【００４２】
（ａ）インク観察評価
実施例及び比較例の水性インクを調製後、分離していないかを目視にて観察し、下記評価基準に従って評価した。
【００４３】
インク観察評価  評価基準
Ａ：分離していなかった。
Ｃ：分離していた。
【００４４】
（ｂ）印字品質評価
ブラザー工業（株）製のインクジェットプリンタ搭載デジタル複合機ＤＣＰ−Ｊ５２５Ｎを用いて、普通紙（Ｒｉｃｏｈ社製のＭｙ  Ｐａｐｅｒ）上に、実施例及び比較例の水性インクを用いて解像度６００ｄｐｉ×３００ｄｐｉで画像を記録し、評価サンプルを作成した。前記評価サンプルのベタ部を目視にて観察し、画像の濃度ムラを、下記評価基準に従って評価した。
【００４５】
印字品質評価  評価基準
Ａ：濃度ムラが無かった。
Ｂ：僅かに濃度ムラがあったが、実用上問題ないレベルであった。
Ｃ：濃度ムラがあった。
【００４６】
（ｃ）吐出安定性評価
前記インクジェットプリンタ搭載デジタル複合機ＤＣＰ−Ｊ５２５Ｎにおいて、温度４０℃、相対湿度２０％の環境下で、インクカートリッジ交換後にパージ（ポンプによるインクの吸引）を行い、キャップをしない状態で７秒間放置した後、実施例及び比較例の水性インクの吐出により、前記普通紙上に１ドットの縦罫線を１０本記録し、前記放置なしの連続記録で形成した縦罫線（リファレンス）との比較により、水性インクをアンキャップ状態のインクジェットヘッドに放置したときの吐出安定性を、下記評価基準に従って評価した。
【００４７】
吐出安定性評価  評価基準
Ａ：１〜５本目の縦罫線でドットの記録遅れ及び不吐出がなく、リファレンスと同等であった。 
Ｂ：６〜１０本目の縦罫線でドットの記録遅れ及び不吐出がなく、リファレンスと同等であった。
Ｃ：１０本目の縦罫線でドットの記録遅れ及び不吐出があり、リファレンスより悪かった。
【００４８】
（ｄ）総合評価
各水性インクについて、前記（ａ）〜（ｃ）の結果から、下記評価基準に従って総合評価を行った。
【００４９】
総合評価  評価基準
Ｇ  ：（ａ）〜（ｃ）の評価結果が全てＡ又はＢであった。
ＮＧ：（ａ）〜（ｃ）の評価結果のいずれかがＣであった。
【００５０】
実施例の水性インクのインク組成及び評価結果を、表１に示す。また、比較例の水性インクのインク組成及び評価結果を、表２に示す。
【００５１】
【表１】
2014198751.tif 000002
【００５２】
【表２】
2014198751.tif 000003
【００５３】
表１に示すとおり、実施例１〜１５では、インク観察評価、印字品質評価及び吐出安定性評価の結果の全てが良好であった。特に、ＴＰＧの配合量を１２重量％〜２０重量％とした実施例１〜３、６〜１０及び１３〜１５では、インク観察評価、印字品質評価及び吐出安定性評価の結果の全てが極めて良好であった。
【００５４】
一方、表２に示すとおり、オクタンジオールを用いなかった比較例１、１０及び１８、ＴＰＧに代えてＤＰＧ、ＴＥＧ又はポリエチレングリコール２００を用いた比較例４、６、７、１３及び１５、オクタンジオールに代えてペンタンジオールを用いた比較例９及び１７では、印字品質評価の結果が悪かった。また、ＴＰＧの配合量を３２．０重量％とした比較例２及び１１では、吐出安定性評価の結果が悪かった。さらに、前記重量比（Ｘ：Ｙ）を７．５：１とした比較例３、ＴＰＧに代えてポリプロピレングリコールを用いた比較例５及び１４、オクタンジオールに代えてデカンジオールを用いた比較例８及び１６、前記重量比（Ｘ：Ｙ）を５：１とした比較例１２では、インク観察評価の結果が悪かった。
【産業上の利用可能性】
【００５５】
以上のように、本発明の水性インクは、濃淡ムラによる印字品質の低下を抑制可能なものである。本発明の水性インクの用途は、特に限定されず、各種のインクジェット記録に広く適用可能である。
【符号の説明】
【００５６】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
2014198751.tif 000004